(57)【要約】【課題】      釣り用ケ−スのフックが釣り用容器体の開口部の壁面を確実に挾持するフックを有する釣り用ケ−スを提供することである。【解決手段】  釣り用ケ−ス１の開口１ａより幾分下側に横長の透孔１ｂが形成されてフック２の取付部２ａが挿通されてフック２は横幅のある板材で形成されて外側の取付部２ａと、釣り用容器体３の開口縁３ｄに跨って係止される円弧状の折り返し部２ｂと、折り返し部２ｂに連続して形成された屈曲部２ｃと、屈曲部２ｃから延びた誘導部２ｄで一体に形成され、円弧状の折り返し部２ｂの両端は何れも開口縁３ｄの円弧の中心より下側まで円弧に沿って形成され、屈曲部２ｃは釣り用容器体３の壁面３ｆを挾持するため、釣り用容器体３の側面部３ｂの内側壁面３ｆに向かって突出するように形成されている。【選択図】        図２
2008086223.tif 000002
【特許請求の範囲】
【請求項１】
釣り用容器体の開口部に吊り下げるフックを有する釣り用ケ−スにおいて、フックは円弧状の折り返し部と該折り返し部に連続して形成された釣り用容器体の壁面を挾持する間隙に向かって突出するように形成された屈曲部を有することを特徴とする釣り用ケ−ス。
【発明の詳細な説明】
【技術分野】
【０００１】
本発明は、釣り用容器体の開口部に吊り下げるフックを有する釣り用ケ−スに関する。
【背景技術】
【０００２】
従来特許文献１のように、餌を入れた釣り用バケツに柄杓立てケ−スを取り付ける時は柄杓立てケ−スにヘアピン状のクリップを取り付けて釣り用バケツの縁を跨ぐように係止していた。
このような円弧状の折り返し部に略直線状の挾持片を連続して形成したクリップでは柄杓立てケ−スが釣り用バケツの壁面に沿って傾斜すると、簡単にクリップが釣り用バケツの縁から外れてしまう欠点があった。
【特許文献１】特開２００１−２７５５３８号公報
【発明の開示】
【発明が解決しようとする課題】
【０００３】
解決しようとする問題点は、特許文献１のヘアピン状のクリップでは柄杓立てケ−スが釣り用バケツの壁面に沿って傾斜すると、簡単にクリップが釣り用バケツの縁から外れてしまうことである。
【０００４】
本発明の目的は前記欠点に鑑み、釣り用ケ−スのフックが釣り用容器体の開口部の壁面を確実に挾持するフックを有する釣り用ケ−スを提供することである。
【課題を解決するための手段】
【０００５】
本発明の請求項１は、釣り用容器体の開口部に吊り下げるフックを有する釣り用ケ−スにおいて、フックは円弧状の折り返し部と該折り返し部に連続して形成された釣り用容器体の壁面を挾持する間隙に向かって突出するように形成された屈曲部を有することを要旨とするものである。
【発明の効果】
【０００６】
本発明により、釣り用容器体の開口部の開口縁にフックの円弧状の折り返し部が開口縁に係合されると、屈曲部は釣り用容器体の壁面を挾持するため、釣り用ケ−スとフックが横に振れても、円弧状の折り返し部両端と屈曲部で横振れが止められて釣り用ケ−スとフックが釣り用容器体から離脱することが防止される。
【発明を実施するための最良の形態】
【０００７】
釣り用ケ−ス１は柄杓立てで、ポリプロピレンやポリ塩化ビニ−ル等の合成樹脂で上方が開口した容器で、開口１ａが矩形で開口１ａより幾分下側に横長の透孔１ｂが形成されてフック２の取付部２ａが挿通されている。
フック２は横幅のある板材で形成されて外側の取付部２ａと、釣り用容器体３の開口部３ａの開口縁３ｄに跨って係止される円弧状の折り返し部２ｂと、折り返し部２ｂに連続して形成された屈曲部２ｃと、屈曲部２ｃから延びた誘導部２ｄで一体に形成されている。
円弧状の折り返し部２ｂの両端は何れも開口縁３ｄの円弧の中心より下側まで円弧に沿って形成されている。
屈曲部２ｃは釣り用容器体３の壁面３ｆを挾持するため、釣り用容器体３の側面部３ｂの内側壁面３ｆに向かって突出するように形成されている。
【実施例１】
【０００８】
以下、図示の一実施例によって本発明を説明すると、図１は釣り用容器体の開口部に釣り用ケ−スのフックが吊り下げられた要部断面側面図、図２は図１の要部拡大断面側面図、図３はフックの斜視図、図４は釣り用容器体内側から見た釣り用ケ−スとフックの要部断面斜視図である。
【０００９】
釣り用ケ−ス１がフック２で吊り下げられる釣り用容器体３は、上部開口部３ａが矩形の容器体で、側面部３ｂと底部３ｃが、例えばエチレン酢酸ビニ−ルや塩化ビニ−ル等の合成樹脂製シ−トを用いて一体、もしくは、複数のシ−トを溶着等で接合して形成されて防水性と柔軟性を有しており、上記シ−トで形成した側面部３ｂは折り曲げることができ釣り用容器体３は折り畳みが可能になっている。
釣り用容器体３の周囲の側面部３ｂの開口縁３ｄは開口の形状を維持するフレ−ムの金属線４が側面部３ｂを形成するシ−ト材で包み込まれ、側面部３ｂは開口部３ａにおいて内側から外側へ折り返されて側面部３ｂに高周波溶着等で溶着固定されて溶着部３ｅとなり、開口縁３ｄは側面部３ｂより肉厚になり金属線４をシ−ト材が取り囲むため断面円弧状に形成されている。
側面部３ｂの前面と後面に図示しないハンドルが取り付けられている。
釣り用容器体３の中には撒き餌５が収納されて柄杓６で掬い上げられるように構成されている。
【００１０】
図で釣り用ケ−ス１は柄杓立てで、ポリプロピレンやポリ塩化ビニ−ルやエチレン酢酸ビニ−ル等の合成樹脂で上方が開口した容器で、開口１ａが矩形で開口１ａより幾分下側に横長の透孔１ｂが形成されてフック２の釣り用ケ−ス１への取付部２ａが挿通されフック２が釣り用ケ−ス１に取り付けられている。
釣り用ケ−ス１は柄杓立ての他に餌箱、撒き餌箱や小物入れ箱等を用いることができる。
【００１１】
フック２は横幅のある板材で形成されて外側の取付部２ａと、釣り用容器体３への係止部Ｋを有し、係止部Ｋは、釣り用容器体３の開口縁３ｄに係止される円弧状の折り返し部２ｂと、折り返し部２ｂの両側に一対の係止片２ｅ、２ｆを有し、係止片２ｅは折り返し部２ｂの内側（釣り用ケ−ス１側）に設けられ、取付部２ａに連なり、係止片２ｆは折り返し部２ｂの外側に設けられ下端が自由端となり、係止片２ｆには折り返し部２ｂの下側に連続して形成された屈曲部２ｃと、屈曲部２ｃから延びた誘導部２ｄで一体に形成されている。
円弧状の折り返し部２ｂの両端は何れも開口縁３ｄの円弧の中心より下側まで円弧に沿って形成されている。
屈曲部２ｃは釣り用容器体３の壁面３ｆを挾持するため、係止片２ｅと、係止片２ｆの間隙２ｇが狭くなるように間隙２ｇの内方に向けて突出している。
したがって図１〜４では屈曲部２ｃは係止片２ｆに設け釣り用容器体３の側面部３ｂの内側壁面３ｆ（または係止片２ｅ）に向かって突出するように形成されているが、屈曲部２ｃを係止片２ｅに設け係止片２ｆに向けて突出するようにしてもよい。
間隙２ｇは屈曲部２ｃを設けた部分が最も狭くなっている。
【００１２】
釣り用ケ−ス１とフック２と釣り用容器体３が前記のように形成されて釣り用容器体３の開口縁３ｄにフック２が吊り下げられる時は、上方からフック２の円弧状の折り返し部２ｂが開口縁３ｄの外側に跨ぐように押し下げられて係合され、円弧状の折り返し部２ｂが円弧状の開口縁３ｄに合致して係合するためフック２は移動が防止されて係止する。
フック２の円弧状の折り返し部２ｂが開口縁３ｄを跨ぐように押し下げられて係合されると、円弧状の折り返し部２ｂの両端は何れも開口縁３ｄの円弧の中心より下側まで円弧に沿って形成され、折り返し部２ｂの下側に連続する屈曲部２ｃは釣り用容器体３の開口縁３ｄを抜け止めし、対向する係止片２ｅと共に釣り用容器体３の壁面３ｆを挾持するため、釣り用ケ−ス１とフック２が横に振れても、円弧状の折り返し部２ｂ両端と屈曲部２ｃで横振れが止められる。
尚、係止片２ｆの屈曲部２ｃの下側は直線状に垂下し、その先端が外側へ屈曲して自由端となり、間隙２ｇの入り口を形成する。
【００１３】
前記のように釣り用ケ−スが構成されると、釣り用容器体３の開口部３ａの開口縁３ｄにフック２の円弧状の折り返し部２ｂが開口縁３ｄの外側に跨ぐように押し下げられて係合され、屈曲部２ｃは釣り用容器体３の壁面３ｆを挾持するため、釣り用ケ−ス１とフック２が横に振れても、円弧状の折り返し部２ｂ両端と屈曲部２ｃで横振れが止められて釣り用ケ−ス１とフック２が釣り用容器体３から離脱することが防止される。
【実施例２】
【００１４】
図５はフックの実施例２で、図５はフックの斜視図である。
【００１５】
実施例２のフック２′は線材で取付部２ａと折り返し部２ｂと屈曲部２ｃと誘導部２ｄの形状のものが２組形成されて適宜本数の横杆２ｅで連結されている。
このようなフックを使用する場合は釣り用ケ−スに左右の取付部２ａを差し込む２個の孔を設けて取り付ける。
このように実施例１の板材で形成したフック２に代えて線材で形成したフック２′を用いてもよく同様の作用効果が得られる。
他の構成は前記第１実施例と略同一である。
【産業上の利用可能性】
【００１６】
本発明は釣り用ケ−スの全般に利用できる。
【図面の簡単な説明】
【００１７】
【図１】釣り用容器体の開口部に釣り用ケ−スのフックが吊り下げられた要部断面側面図である。
【図２】図１の要部拡大断面側面図である。
【図３】フックの斜視図である。
【図４】釣り用容器体内側から見た釣り用ケ−スとフックの要部断面斜視図である。
【図５】フックの実施例２で、フックの斜視図である。
【符号の説明】
【００１８】
１  釣り用ケ−ス
２、２′  フック
２ｂ  折り返し部
２ｃ  屈曲部
２ｇ  間隙
３  釣り用容器体
３ａ  開口部
【図１】
2008086223.tif 000003
【図２】
2008086223.tif 000004
【図３】
2008086223.tif 000005
【図４】
2008086223.tif 000006
【図５】
2008086223.tif 000007